(57)【要約】      （修正有）【課題】簡単な構成で用紙を綴じることができ、変形などの問題を防止する綴じ具を提供する。【解決手段】綴じ具１０は、ベース部材１２と、長手方向の両端に形成された軸部６０，６２で前記ベース部材に回転可能に支持されるムーブメント１４と、ベース部材の第１の綴じ片２２，２４と、閉じることによりリング状部を形成するの第２の綴じ片２６，２８とを含み、ムーブメントは、ベース部材の長さ方向に相対移動し且つ幅方向に回転するようにベース部材に固定され、第１の綴じ片と第２の綴じ片を閉じたときに係合する先端の第１係合部９２，９４及び第２係合部９６，９８は、上下重ね合わせることにより係合するように構成され、ムーブメントを係合させることに対応して、ムーブメントの長さ方向の移動を停止させる第１固定部９２ａ，９４ａ，９６ａ，９８ａ，９６ｂ，９８ｂと、ムーブメントの回転を規制する第２固定部９２ａ，９４ａ，９６ａ，９８ａを持つ。【選択図】図１
2010069863.tif 000002
【特許請求の範囲】
【請求項１】
ベース部材と、
前記ベース部材の一方面上に延びる第１の綴じ片と、
長手方向の両端に形成される軸部を有し、前記軸部で前記ベース部材に回転可能に支持されるムーブメントと、
前記ムーブメントの一方面上に延びるように形成され、前記第１の綴じ片と対向して閉じることによりリング状部を形成する第２の綴じ片とを含み、
前記ムーブメントは、ベース部材の長さ方向に相対移動し且つベース部材の幅方向に回転するようにベース部材に固定され、
前記第１の綴じ片と第２の綴じ片を閉じたときに係合する先端の第１係合部及び第２係合部は、上下重ね合わせることにより係合するように構成され、
第１係合部又は第２係合部は、ムーブメントをベース部材の長さ方向に移動させて係合を解除させることに対応してムーブメントの移動する側が開放され、且つ、ムーブメントをベース部材の長さ方向に移動させて係合させることに対応して、ムーブメントのベース部材の長さ方向に移動を停止させるための第１固定部が形成されるとともに、ムーブメントを長さ方向に移動して、ムーブメントをベース部材の幅方向に回転させて係合を解除させることに対応して、ムーブメントの回転する側を開放し、且つ、ムーブメントをベース部材の幅方向に回転させて係合させることに対応してムーブメントの回転を規制するように形成された第２固定部が形成された、綴じ具。
【請求項２】
前記第１固定部及び第２固定部は、ムーブメントの長さ方向への移動及び幅方向への回転を規制するための、第１の綴じ片及び第２の綴じ片の凸部及び凹部によって構成された、請求項１に記載の綴じ具。
【請求項３】
前記第１固定部は、第１の綴じ片及び／又は第２の綴じ片に形成された接合部によって構成された、請求項１に記載の綴じ具。
【発明の詳細な説明】
【技術分野】
【０００１】
この発明は、綴じ具に関し、特にたとえば、綴じ孔を有する用紙を綴じるためのリング状部を有する綴じ具に関する。
【背景技術】
【０００２】
図２４は、従来の綴じ具の一例を示す図解図である。綴じ具Ｐ１は、樹脂材料などで形成された固定側部材Ｐ２および可動側部材Ｐ３とで構成される。固定側部材Ｐ２は、図２５に示す固定プレートＰ４と、図２６に示すベースプレートＰ５とを組み合わせることによって形成される。固定プレートＰ４は、長手方向の４箇所から上方に向けて、略Ｌ字状の固定側綴じ桿Ｐ６ａが形成される。また、固定プレートＰ４の長手方向の両端側に、可動側部材Ｐ３を回転可能に軸支するためのピンの保持穴Ｐ７ａを有する支持部Ｐ７が形成される。これらの支持部Ｐ７は、固定プレートＰ４の幅方向の一端側に形成される。
【０００３】
ベースプレートＰ５には、その幅方向の一端側に、複数の連結用軸受Ｐ８が形成される。そして、固定プレートＰ４とベースプレートＰ５とを組み合わせることにより、固定プレートＰ４の支持部Ｐ７とベースプレートＰ５の連結用軸受Ｐ８とが、一直線状に配置される。
【０００４】
固定プレートＰ４とベースプレートＰ５との間には、図２８に示すスライダＰ９が配置される。スライダＰ９は、組み合わされた固定プレートＰ４とベースプレートＰ５との間において、その長手方向にスライド可能に配置され、ばねなどによって長手方向の一方側に付勢される。スライダＰ９の幅方向の一端側には、可動側部材Ｐ３を固定するための突条部Ｐ１０が形成される。
【０００５】
可動側部材Ｐ３は、図２７に示すように、回転プレートＰ１１を含み、その一方面の４箇所から上方に向けて、略Ｌ字状の可動側綴じ桿Ｐ６ｂが形成される。また、回転プレートＰ１１の他方面側には、複数の軸受部Ｐ１２が形成される。これらの軸受部Ｐ１２は、回転プレートＰ１１の幅方向の一端側において、一直線状に配置される。さらに、回転プレートＰ１１の他方面側には、図２４（Ｂ）に示すように、スライダＰ９の突条部Ｐ１０に係合する突条部Ｐ１３が形成される。
【０００６】
可動側部材Ｐ３は、固定側部材Ｐ２の幅方向の一端側に配置される。このとき、固定プレートＰ４の支持部Ｐ７とベースプレートＰ５の連結用軸受Ｐ８と可動側部材Ｐ３の軸受部Ｐ１２とが一直線状に配置され、これらにピンを通すことにより、可動側部材Ｐ３は回転可能に固定側部材Ｐ２に支持される。このとき、ばねなどによって、可動側部材Ｐ３の回転プレートＰ１１が開くような向きに付勢される。
【０００７】
この綴じ具Ｐ１では、回転プレートＰ１１を回転させて、固定側部材Ｐ２の固定プレートＰ４と可動側部材Ｐ３の回転プレートＰ１１とが１つの平面となるように配置することにより、図２４（Ｃ）に示すように、固定側綴じ桿Ｐ６ａと可動側綴じ桿Ｐ６ｂとでリング状部が形成される。このリング状部に、穿孔された用紙が綴じ込まれる。このとき、スライダＰ９の突条部Ｐ１０と可動側部材Ｐ３の突条部Ｐ１３とが係合して、可動側部材Ｐ３が固定される。そして、スライダＰ９をスライドさせることにより、突条部Ｐ１０，Ｐ１３の係合が外れて、ばねなどの付勢力により可動側部材Ｐ３が回転し、固定側綴じ桿Ｐ６ａと可動側綴じ桿Ｐ６ｂとが分離される（特許文献１参照）。
【０００８】
また、一対の略円弧状の綴リング片の先端の係合部分を上下において重ね合わせる構造のリング式綴具がある（特許文献２参照）。
【０００９】
【特許文献１】特開平８−３１０１７６号公報
【特許文献２】実開平１−１０８７８８号公報
【発明の開示】
【発明が解決しようとする課題】
【００１０】
しかしながら、このような特許文献１の綴じ具は、複数の部材に多数の軸受部を形成してピンを通す必要があり、複雑な構造を有しており、製造が困難である。用紙を綴じるという目的を達成するためには、もっと簡単な構成とすることも可能であるが、簡単な構成とした場合、用紙の重さや用紙を引っ張ったときの力などにより、綴じ具を構成する部材の変形などが問題となる場合がある。
【００１１】
また、特許文献２の綴具は、一方の綴リング片と他方の綴リング片とを開閉するときにおいては、一方の綴リング片と他方の綴リング片とを撓ませて突起を孔に嵌入させたり脱嵌させたりしなければならない。
すなわち、一方の綴リング片と他方の綴リング片との弾力性を利用して無理に突起を孔に嵌入させたり脱嵌させたりするように構成されており、一方の綴リング片と他方の綴リング片とに綴じた用箋等の重みや外力によって、不用意に一方の綴リング片と他方の綴リング片とが開いてしまうおそれがある。
【００１２】
それゆえに、この発明の主たる目的は、簡単な構成で用紙を綴じることができ、かつ簡単な構成であるにもかかわらず変形などの問題を防止することができる綴じ具を提供することである。
【課題を解決するための手段】
【００１３】
この発明は、ベース部材と、前記ベース部材の一方面上に延びる第１の綴じ片と、長手方向の両端に形成される軸部を有し、前記軸部で前記ベース部材に回転可能に支持されるムーブメントと、前記ムーブメントの一方面上に延びるように形成され、前記第１の綴じ片と対向して閉じることによりリング状部を形成する第２の綴じ片とを含み、前記ムーブメントは、ベース部材の長さ方向に相対移動し且つベース部材の幅方向に回転するようにベース部材に固定され、前記第１の綴じ片と第２の綴じ片を閉じたときに係合する先端の第１係合部及び第２係合部は、上下重ね合わせることにより係合するように構成され、第１係合部又は第２係合部は、ムーブメントをベース部材の長さ方向に移動させて係合を解除させることに対応してムーブメントの移動する側が開放され、且つ、ムーブメントをベース部材の長さ方向に移動させて係合させることに対応して、ムーブメントのベース部材の長さ方向に移動を停止させるための第１固定部が形成されるとともに、ムーブメントを長さ方向に移動して、ムーブメントをベース部材の幅方向に回転させて係合を解除させることに対応して、ムーブメントの回転する側を開放し、且つ、ムーブメントをベース部材の幅方向に回転させて係合させることに対応してムーブメントの回転を規制するように形成された第２固定部が形成された、綴じ具である。
【発明の効果】
【００１４】
この発明によれば、ベース部材と、前記ベース部材の一方面上に延びる第１の綴じ片と、長手方向の両端に形成される軸部を有し、前記軸部で前記ベース部材に回転可能に支持されるムーブメントと、前記ムーブメントの一方面上に延びるように形成され、前記第１の綴じ片と対向して閉じることによりリング状部を形成する第２の綴じ片とを含み、前記ムーブメントは、ベース部材の長さ方向に相対移動し且つベース部材の幅方向に回転するようにベース部材に固定され、前記第１の綴じ片と第２の綴じ片を閉じたときに係合する先端の第１係合部及び第２係合部は、上下重ね合わせることにより係合するように構成され、第１係合部又は第２係合部は、ムーブメントをベース部材の長さ方向に移動させて係合を解除させることに対応してムーブメントの移動する側が開放され、且つ、ムーブメントをベース部材の長さ方向に移動させて係合させることに対応して、ムーブメントのベース部材の長さ方向に移動を停止させるための第１固定部が形成されるとともに、ムーブメントを長さ方向に移動して、ムーブメントをベース部材の幅方向に回転させて係合を解除させることに対応して、ムーブメントの回転する側を開放し、且つ、ムーブメントをベース部材の幅方向に回転させて係合させることに対応してムーブメントの回転を規制するように形成された第２固定部が形成されているので、簡単な構成で用紙を綴じることができ、かつ簡単な構成であるにもかかわらず変形などの問題を防止することができる綴じ具を提供することができる。
そして、ムーブメントは、ベース部材の長さ方向に相対移動し且つベース部材の幅方向に回転するようにベース部材に固定され、第１の綴じ片と第２の綴じ片を閉じたときに係合する先端の第１係合部及び第２係合部は、上下重ね合わせることにより係合するように構成され、第１係合部又は第２係合部は、ムーブメントをベース部材の長さ方向に移動させて係合を解除させることに対応してムーブメントの移動する側が開放され、且つ、ムーブメントをベース部材の長さ方向に移動させて係合させることに対応して、ムーブメントのベース部材の長さ方向に移動を停止させるための第１固定部が形成されるとともに、ムーブメントをベース部材の幅方向に回転させて係合を解除させることに対応してムーブメントの回転する側を開放し、且つ、ムーブメントをベース部材の幅方向に回転させて係合させることに対応してムーブメントの回転を規制するように形成された第２固定部が形成されているので、ムーブメントの移動及び回転により円滑に綴じ片を開閉することができる。しかも、綴じ片を閉じているときは、第１係合部及び第２係合部を確実に係合させれば、不用意に開くことはない。
請求項２の発明によれば、第１固定部及び第２固定部は、ムーブメントの長さ方向への移動及び幅方向への回転を規制するための、第１の綴じ片及び第２の綴じ片の凸部及び凹部によって構成されているので、ムーブメントの移動及び回転により円滑に綴じ片を開閉することができる。しかも、綴じ片を閉じているときは、凸部を凹部に嵌合させることにより、確実にムーブメントの移動を停止させ、綴じ片が不用意に開くことはない。
請求項３の発明によれば、第１固定部は、第１の綴じ片及び／又は第２の綴じ片に形成された接合部によって構成されているので、ムーブメントの移動及び回転により円滑に綴じ片を開閉することができる。しかも、綴じ片を閉じているときは、確実にムーブメントの移動を停止させ、綴じ片が不用意に開くことはない。
【００１５】
この発明の上述の目的，その他の目的，特徴および利点は、図面を参照して行う以下の発明を実施するための最良の形態の説明から一層明らかとなろう。
【発明を実施するための最良の形態】
【００１６】
この発明にかかる実施の形態である２穴Ｏ型リング綴具について説明する。
図１は、本発明にかかる一実施の形態である綴じ具の一例を示す斜視図解図である。図２は、ベース部材の斜視図解図である。図３は、図２図示ベース部材の断面図解図であり、（Ａ）は、図２Ａ−Ａ断面図解図であり、（Ｂ）は、図２Ｂ−Ｂ断面図解図であり、（Ｃ）は、図２Ｃ−Ｃ断面図解図であり、（Ｄ）は、図２Ｄ−Ｄ断面図解図である。図４は、ムーブメントの斜視図解図である。図５は、図４図示ムーブメントの断面図解図であり、（Ａ）は、図４Ａ−Ａ断面図解図であり、（Ｂ）は、図４Ｂ−Ｂ断面図解図であり、（Ｃ）は、図４Ｃ−Ｃ断面図解図であり、（Ｄ）は、図４Ｄ−Ｄ断面図解図である。図６は、閉じた状態におけるベース部材とムーブメントを示す斜視図解図である。図７は、閉じた状態におけるベース部材とムーブメントを示す裏面側斜視図解図である。図８は、ムーブメントのスライド開始状態におけるベース部材とムーブメントを示す斜視図解図である。図９は、ムーブメントのスライド開始状態におけるベース部材とムーブメントを示す裏面側斜視図解図である。図１０は、綴じ環を開いた状態におけるムーブメントのスライド開始状態におけるベース部材とムーブメントを示す斜視図解図である。図１１は、綴じ環を開いた状態における裏面側斜視図解図である。図１２は、作動状態を示す図６Ａ−Ａ断面図解図である。
綴じ具１０は、ファイル・バインダ類の表紙、特に裏表紙に固定して用いられるに適するリング開閉型綴じ具であり、この綴じ具１０が固定されるファイル・バインダ類の表紙１０１０は、表表紙１０１２と、裏表紙１０１４と、前記表表紙１０１２と裏表紙１０１４との間において表表紙１０１２及び裏表紙１０１４に開閉自在に連設する背表紙１０１６とを備える。表表紙１０１２及び裏表紙１０１４は、背表紙１０１６寄りに開閉用の表側ヒンジ部１０１８及び裏側ヒンジ部１０２０を備える。
【００１７】
綴じ具１０は、裏表紙１０１４の内面に固定されるベース部材１２と、該ベース部材１２の背表紙１０１６側の端縁に回転可能に支持されるムーブメント１４とを備える。
綴じ具１０は、円環状の綴杆を構成する一対のリング状部を閉じたとき略Ｏの字のリング状になる、向こう側の第１の綴じ環１６及び前記第１の綴じ環１６と対になる手前側の第２の綴じ環１８とを備え、ＡＢＳ樹脂等の合成樹脂で一体成形してなる。
この実施の形態においては、ベース部材１２の長さ方向にムーブメント１４をスライド移動させて、第１の綴じ環１６及び第２の綴じ環１８の閉じた状態を解除させるとともにムーブメント１４をベース部材１２の幅方向に回転させて、第２の綴じ環１８を構成する第２の綴じ片２６及び第２の綴じ片２８を、第１の綴じ環１６を構成する第１の綴じ片２２及び第１の綴じ片２４から離間する方向すなわちベース部材１２の幅方向に回転させることにより、第１の綴じ環１６及び第２の綴じ環１８を開くことができる。
【００１８】
ベース部材１２は、表紙１０１０の高さ方向にのびる長さ方向と、表紙１０１０の幅方向にのびる幅方向とを有し、長さ方向における長さが幅方向における長さより長い平面視略長方形状であり、幅方向における一方側端、この実施の形態においては、左端縁にムーブメント１４を固定するための平面視略コ字型の受部２０を備え、該受部２０に、ムーブメント１４が回転可能に支持され、ムーブメント１４は、ベース部材１２の長さ方向にスライド移動可能に固定されている。
【００１９】
ベース部材１２は、その一方面上、すなわち表紙に固定される面とは反対側の上面に、上方にのびる略半円環状のリング状部が突設され、該リング状部は、第１の綴じ環１６を構成する向こう側の第１の綴じ片２２と、第２の綴じ環１８を構成する手前側の第１の綴じ片２４とを有する。
【００２０】
ムーブメント１４は、その一方面上、すなわち表紙に固定される面とは反対側の上面に、上方にのびる略半円環状のリング状部が突設され、該リング状部は、第１の綴じ環１６を構成する向こう側の第２の綴じ片２６と、第２の綴じ環１８を構成する手前側の第２の綴じ片２８とを有する。
【００２１】
ベース部材１２は、前記ムーブメント１４の後述する軸部６０，６２が挿入される向こう側の第１の挿入溝３０及び手前側の第２の挿入溝３２を有し、前記ムーブメント１４がベース部材１２の長さ方向にスライド移動可能で且つ向こう側の第１の軸部６０及び手前側の第２の軸部６２を中心にして回転可能となるように、前記ムーブメント１４の軸部６０，６２を支持する２つの軸受部、すなわち向こう側の第１の軸受部３４及び手前側の第２の軸受部３６が長さ方向において上下に分かれて形成され、受部２０を構成している。
前記第１の綴じ片２２，２４と前記第２の綴じ片２６，２８とが閉じて前記リング状部が形成されたときのベース部材１２の前記挿入溝３０，３２の断面形状は、円形の一部を削除した形状でかつ円形の半分以上を残した形状であり、前記挿入溝３０，３２の断面形状の円形を削除した部分は、前記第１の綴じ片２２，２４を形成した面たる上面に相対する位置、すなわち表紙１０１０に固定される面側に配置される。
この実施の形態においては、向こう側において長さ方向にのび、挿入溝３２は、手前側において長さ方向にのびており、挿入溝３０及び３２は、表紙１０１０に固定される側である下部において開口した、切割部３０ａ及び切割部３２ａが形成され、且つ、該切割部３０ａ及び３２ａから挿入溝３０及び３２に嵌装された軸部６０及び６２が抜け出ることを防止するための突縁３０ｂ及び突縁３０ｃ、突縁３２ｂ及び突縁３２ｃが形成されている。すなわち、挿入溝３０の突縁３０ｂ及び突縁３０ｃは、切割部３０ａに向けて突き出てその間に切割部３０ａを形成し、また、挿入溝３２の突縁３２ｂ及び突縁３２ｃは、切割部３２ａに向けて突き出てその間に切割部３２ａを形成している。
【００２２】
ムーブメント１４は、長手方向の両端に形成される向こう側の第１の軸部６０及び手前側の第２の軸部６２を有し、前記軸部６０，６２をベース部材１２の挿入溝３０及び３２に嵌装して前記ベース部材１２に回転可能に支持され、前記第１の綴じ片と前記第２の綴じ片とが対向して閉じることによりリング状部が形成されたときの前記軸部６０，６２の断面形状は、円形の一部を削除した形状でかつ円形の半分以上を残した形状である。
軸部６０，６２は、第２の綴じ片２６及び第２の綴じ片２８がのびる方向（上方向）において短い径を有し、第１の綴じ環１６及び第２の綴じ環１８の開閉方向すなわち第２の綴じ片２６及び第２の綴じ片２８の回転方向において長い径を有する。
【００２３】
ベース部材１２は、第１の綴じ片２２及び第１の綴じ片２４が形成された薄い第１のベース本体３８ａと、第１のベース本体３８ａの右側に続いて連設されて軸受部３４及び３６が形成されたやや厚い第２のベース本体３８ｂとを備え、表紙１０１０に固定される面である裏面は平坦な面を形成されている。
【００２４】
前記ベース部材１２および前記ムーブメント１４は、一方に形成される凸状部、および、他方に形成される凹状部を含み、前記第１の綴じ片２２，２４と前記第２の綴じ片２６，２８とが対向して閉じることにより前記リング状部が形成されたときに、前記凸状部と前記凹状部とが嵌合するように形成されている。
この実施の形態においては、ベース部材１２は、第２のベース本体３８ｂにおいて長さ方向における向こう側に形成された第１の凹状部４０と、第２のベース本体３８ｂにおいて長さ方向における手前側に形成された第２の凹状部４２とを備える。
【００２５】
第１の凹状部４０は、第１の綴じ環１６の開閉方向に対して交差する方向にのび、第１の綴じ環１６を構成する向こう側の第１の綴じ片２２の基部の左側において、ベース部材１２の長さ方向にのびる係止条４０ａを備える。
第２の凹状部４２は、第１の綴じ環１６の開閉方向に対して交差する方向にのび、第１の綴じ環１６を構成する手前側の第１の綴じ片２４の基部の左側において、ベース部材１２の長さ方向にのびる係止壁４２ａを備える。
【００２６】
ムーブメント１４は、長さ方向において向こう側に、第１の綴じ環１６及び第２の綴じ環１８が閉じたときに、ベース部材１２の第１の凹状部４０と嵌合する第１の凸状部６４を形成され、且つ長さ方向において手前側に、第１の綴じ環１６及び第２の綴じ環１８が閉じたときに、ベース部材１２の第２の凹状部４２と嵌合する第２の凸状部６６を形成されている。
リング状部が形成されたときに、ベース部材１２およびムーブメント１４に形成された凸条部と凹条部とが嵌合されるような構成とすることにより、ムーブメント１４がベース部材１２に強固に支持され、ムーブメント１４の変形が防止される。
【００２７】
第２の凸状部６６及び第２の凹状部４２は、ムーブメント１４をベース部材１２の長さ方向に移動させて係合させることに対応して、ムーブメント１４の前記移動する側とは反対側にムーブメント１４がベース部材１２の長さ方向への移動を停止させるための第１固定部を構成するとともに、ムーブメント１４をベース部材１２の幅方向に回転させて第１の綴じ片２２及び第１の綴じ片２４と第２の綴じ片２６及び第２の綴じ片２８とを係合させることに対応して、ムーブメント１４の回転を規制するように形成された第２固定部を構成する。
【００２８】
そして、第２の凹状部４２は、ムーブメント１４をベース部材１２の長さ方向に移動させて係合を解除させることに対応して、向こう側が開放されており、ムーブメント１４をベース部材１２の幅方向に回転させて、第１の綴じ片２２及び第１の綴じ片２４と第２の綴じ片２６及び第２の綴じ片２８との係合を解除させることに対応して、第２の凸状部６６が第２の凹状部４２に係止されることなく円滑に幅方向に移動するように開放されている。
【００２９】
ムーブメント１４は、前記第１の綴じ環１６及び第２の綴じ環１８の係合部９０の係合が解除されて、前記第１の綴じ環１６及び第２の綴じ環１８が閉じていた位置から前記軸部６０，６２が略９０°回転したときに前記挿入溝３０及び３２の断面形状の円形を削除した部分から軸部６０及び６２が抜け出ないようにするために、前記ベース部材１２に当接される向こう側の第１係止部の７０及び手前側の第２の係止部７２が形成されている。
一方、ベース部材１２は、ムーブメント１４の係止部７０，７２が当接して、軸受部３４及び３６から軸部６０及び６２が脱落することを防止するために、向こう側の第１の当接部４４及び手前側の第２の当接部４６が形成されている。
係止部７０及び７２は、軸部６０及び６２が、第１の綴じ環１６及び第２の綴じ環１８の開いた位置に回転したときに挿入溝３０の切割部３０ａ及び挿入溝３２の切割部３２ａから抜け出ることのないように、軸部６０及び６２が抜け出る方向とは異なる方向に位置して軸部６０及び６２が切割部３０ａ及び３２ａの外方へ移動することを妨げることができる部位、例えば、第１の綴じ環１６及び第２の綴じ環１８を閉じたときに、軸部６０及び６２の円形の一部を削除した面と直交又は交差するような面を形成されている。
【００３０】
この実施の形態においては、ムーブメント１４の第１の係止部７０は、ムーブメント１４の長さ方向における向こう側において、第２の綴じ片２６の内側の第１の軸部６０の近傍に形成されている。
又、ムーブメント１４の第２の係止部７２は、ムーブメント１４の長さ方向における手前側において、第２の綴じ片２８の内側の第２の軸部６２の近傍に形成されている。
ベース部材１２の当接部４４及び４６は、軸部６２が９０°回転したときに、軸受部３４及び３６から軸部６０及び６２が抜けることを防止することができる位置に形成されている。
この実施の形態においては、第１の当接部４４は、第１の綴じ環１６が閉じた位置から開いた位置に至るとき、すなわち第１の係止部７０及び軸部６０が９０°回転したときにおける第１の係止部７０の下部に位置し、第２の当接部４６は、第１の綴じ環１６が閉じた位置から開いた位置に至るとき、すなわち第２の係止部７２及び軸部６２が９０°回転したときにおける第２の係止部７２の下部に位置している。
このように、挿入溝３０，３２の切割部３０ａ及び３２ａから軸部６０及び６２が抜け出る方向とは反対の方向に位置する上方部において、ムーブメント１４に形成された係止部７０，７２がベース部材１２の一部である当接部４４及び４６に当接されるようにすることにより、軸受部３４，３６から軸部６０，６２が脱落することを防止される。
【００３１】
ベース部材１２は、その長さ方向にのびる受部２０の上面において、突出部５０を形成されている。
突出部５０は、ベース部材１２の長さ方向と交差する方向に頂点が連続する、断面略三角形状である。
ムーブメント１４は、ベース部材１２の受部２０に固定され、第１の綴じ環１６及び第２の綴じ環１８が閉じた状態のときに下方に向き、ベース部材１２の受部２０の突出部５０を形成された面と対向する面に、２つの嵌合凹部８０，８２を形成されている。
嵌合凹部８０，８２は、ムーブメント１４の長さ方向と交差する方向に谷底が連続する、断面略Ｖ字型である。
２つの前記嵌合凹部８０，８２は、前記ベース部材１２と前記ムーブメント１４のスライド方向において隣接するように配置されるとともに、一方の前記嵌合凹部８０は、第１の綴じ環１６及び第２の綴じ環１８が閉じて前記リング状部が形成されたときに、前記突出部５０が嵌合される位置に配置される。
２つの嵌合凹部８０，８２の一方がリング状部形成時に突出部５０によって嵌合される位置に形成されることにより、第１の綴じ片２２，２４と第２の綴じ片２６，２８とが正確にリング状部を形成するように位置決めされる。また、２つの嵌合凹部８０，８２を隣接して形成することにより、ムーブメント１４をスライドさせて第１の綴じ環１６及び第２の綴じ環１８のリング状部を形成するときと解除するときに、突出部５０が２つの嵌合凹部８０，８２の間を乗り越える。そのため、第１の綴じ環１６及び第２の綴じ環１８のリング状部の形成時および解除時に、クリック感覚を得ることができ、良好な使用感を得ることができる。
【００３２】
第１の綴じ環１６及び第２の綴じ環１８は、第１の綴じ片２２と第２の綴じ片２６を閉じたときに係合する先端の係合部９０及び第１の綴じ片２４と第２の綴じ片２８を閉じたときに係合する先端の係合部９０が、綴じ具１０の高さを全体的に低くするために上下重ね合わせ型に形成されている。
そして、第１の綴じ片２２及び第１の綴じ片２４の係合部９０と第２の綴じ片２６及び第２の綴じ片２８の係合部９０とは、平面視略同一形状に形成されている。
【００３３】
第１の綴じ片２２及び第１の綴じ片２４は、基部が太くて先端に至るに従って細くなる綴杆で構成され、先端の係合部９０は、その下面が切り欠かれた断面略Ｌ字型の第１係合部９２，９４が形成されている。
第２の綴じ片２６及び第２の綴じ片２８は、基部が太くて先端に至るに従って細くなる綴杆で構成され、先端の係合部９０は、その上面が切り欠かれた断面略Ｉ字型の第２係合部９６，９８が形成されている。
第１の綴じ片２２の第１係合部９２，９４は、ムーブメント１４を向こう側に向けてスライド移動させて係合を解除することに対応して、向こう側に向かうに従って薄くなるように構成され、向こう側に広く開放され、第１の綴じ片２４の第２係合部９６，９８は、ムーブメント１４を向こう側に向けてスライド移動させて係合を解除することに対応して、向こう側に向かうに従って太くなるように構成されている。
【００３４】
第１係合部９２及び第１係合部９４は、第２係合部９６及び第２係合部９８と接し合う下面９２ｃ及び下面９４ｃが円滑な平面である。
また、第２係合部９６及び第２係合部９８は、第１係合部９２及び第１係合部９４と接し合う上面９６ｃ及び上面９８ｃが円滑な平面である。
而して、第１係合部９２及び第１係合部９４と第２係合部９６及び第２係合部９８とは、第１係合部９２の下面９２ｃと第２係合部９６の上面９６ｃとが接し合い且つ第１係合部９４の下面９４ｃと第２係合部９８の上面９８ｃとが接し合って、円滑に開閉できる。
【００３５】
第１係合部９２，９４は、向こう側の端縁に、第１の綴じ環１６及び第２の綴じ環１８が不用意に開かないようにするために、第２の綴じ片２６及び第２の綴じ片２８の開く方向すなわちムーブメント１４の長さ方向への移動及び幅方向への回転を規制するための規制凹部９２ａ，９４ａが形成されている。
第２係合部９６，９８は、向こう側の端縁の近傍に、第１の綴じ環１６及び第２の綴じ環１８が不用意に開かないようにするために、第２の綴じ片２６及び第２の綴じ片２８の開く方向すなわちムーブメント１４の長さ方向への移動及び幅方向への回転を規制するための回転を規制するための規制凸部９６ａ，９８ａが形成されている。
【００３６】
規制凹部９２ａ,９４ａ及び規制凸部９６ａ,９８ａは、ムーブメント１４をベース部材１２の長さ方向にスライド移動させて、第１係合部９２及び第１係合部９４と第２係合部９６及び第２係合部９８とを係合させることに対応して、ムーブメント１４の前記移動する側とは反対側にムーブメント１４がベース部材１２の長さ方向への移動を停止させるための第１固定部を構成するとともに、ムーブメント１４をベース部材１２の幅方向に回転させて、第１係合部９２及び第１係合部９４と第２の綴じ片２６及び第２の綴じ片２８とを係合させることに対応して、ムーブメント１４の回転を規制するように形成された第２固定部を構成する。
【００３７】
そして、規制凹部９２ａ及び規制凹部９４ａは、ムーブメント１４をベース部材１２の長さ方向に移動させて、第１係合部９２及び第１係合部９４と第２の綴じ片２６及び第２の綴じ片２８との係合を解除させることに対応して、向こう側が開放されており、且つ、ムーブメント１４を長さ方向に移動して係合を解除した後に、ムーブメント１４をベース部材１２の幅方向に回転させて、第１係合部９２及び第１係合部９４と第２の綴じ片２６及び第２の綴じ片２８との係合を解除させることに対応して、規制凸部９６ａ及び規制凸部９８ａと規制凹部９２ａ及び規制凹部９４ａとが係止されることなく円滑に幅方向に回転移動するように形成されている。
【００３８】
綴じ具１０は、ベース部材１２の第１のベース本体３８ａにおいて長さ方向に適宜な間隔をあけて穿設された固定孔５８ａ及び固定孔５８ｂに、例えば鋲によって、裏側ヒンジ部１０２０との間に少し距離をおいて、裏表紙１０１４の内面に固定される。
そして、第１の綴じ環１６及び第２の綴じ環１８の基部と頂部との間の長さ（すなわち第１の綴じ環１６及び第２の綴じ環１８の高さ）は、背表紙１０１６の背幅と略同等もしくはわずかに長く形成されている。第１の綴じ環１６及び第２の綴じ環１８の基部と頂部との間の長さ（すなわち第１の綴じ環１６及び第２の綴じ環１８の高さ）が、背表紙１０１６の背幅より長く形成されており、表表紙１０１２の接し合う部分に貫通孔からなる綴じ具嵌挿孔１０２２，１０２４が穿設されている。
而して、第１の綴じ環１６及び第２の綴じ環１８は、綴じ具嵌挿孔１０２２及び１０２４に嵌挿されることにより、ムーブメント１４の長さ方向への移動を規制されて、不用意に開くことがない。
【００３９】
第１の綴じ片２２の第１係合部９２の先端縁は、第２の綴じ片２６の第２係合部９６の上面が切り欠かれて形成された直線状の接合壁９６ｂと接し合い、且つ第１の綴じ片２４の第１係合部９４の先端縁は、第２の綴じ片２８の第２係合部９８の上面が切り欠かれて形成された直線状接合壁９８ｂと接し合う。
第２の綴じ片２６の第２係合部９６の先端は、第１の綴じ片２２の第１係合部９２の下面が切り欠かれて形成された直線状の接合壁９２ｂと接し合い、且つ第２の綴じ片２８の第２係合部９８の先端は、第１の綴じ片２４の第１係合部９４の下面が切り欠かれて形成された直線状の接合壁９４ｂと接し合う。
そして、第１の綴じ片２２の先端縁及び第２の綴じ片２６の接合壁９６ｂは、第１の綴じ環１６の開閉方向と直交するように形成され、第１の綴じ片２４の先端縁及び第２の綴じ片２８の接合壁９８ｂは、第２の綴じ環１８の開閉方向と直交するように形成されている。
そして、第２の綴じ片２６の第２係合部９６の先端縁及び第１の綴じ片２２の接合壁９２ｂは、第１の綴じ環１６の開閉方向と直交するように形成され、第２の綴じ片２８の第２係合部９８の先端縁及び第１の綴じ片２４の接合壁９４ｂは、第２の綴じ環１８の開閉方向と直交するように形成されている。
【００４０】
第１の綴じ片２２の第１係合部９２の手前側端には、ムーブメント１４の長さ方向への移動を停止させるための第１固定部を構成する固定壁１００が形成されている。
固定壁１００は、第１の綴じ片２２の第１係合部９２の手前側において、幅方向にのび且つ下面９２ｃから高さ方向に突き出た突条であり、第１の綴じ片２２と第２の綴じ片２６とを閉じたときに、第１の綴じ片２２の第２係合部９６の手前側端と接し合い、ムーブメント１４の手前側への移動を規制するように形成され、且つムーブメント１４の向こう側への移動を阻止しないように開放されている。
また、第１の綴じ片２４の第１係合部９４の手前側端には、ムーブメント１４の長さ方向への移動を停止させるための第１固定部を構成する固定壁１０２が形成されている。
固定壁１０２は、第１の綴じ片２４の第１係合部９４の手前側において、幅方向にのび且つ下面９４ｃから高さ方向に突き出た突条であり、第１の綴じ片２４と第２の綴じ片２８とを閉じたときに、第１の綴じ片２４の第２係合部９８の手前側端と接し合い、ムーブメント１４の手前側への移動を規制するように形成され、且つムーブメント１４の向こう側への移動を阻止しないように開放されている。
【００４１】
次に、この綴じ具の作動について、主として図８ないし図１４に基づいて説明する。
この綴じ具１０は、第１の綴じ環１６及び第２の綴じ環１８が閉じられたリング状を形成しているときに、ムーブメント１４の第１の凸状部６４がベース部材１２の第１の凹状部４０に嵌合し、ムーブメント１４の第２の凸状部６６がベース部材１２の第２の凹状部４２に嵌合している。
そして、第１の凸状部６４は、係止条４０ａに係止され、且つ第２の凸状部６６は、係止壁４２ａに係止されて、第１の綴じ環１６及び第２の綴じ環１８が不用意に開くことがない。
【００４２】
次に、この綴じ具１０は、閉じられている第１の綴じ環１６及び第２の綴じ環１８を開くときには、例えば、親指と人差指で第１の綴じ環１６又は第２の綴じ環１８の係合部９０を摘み、ねじることにより、ベース部材１２の長さ方向にムーブメント１４がスライド移動し、第１の綴じ環１６及び第２の綴じ環１８の係合部９０の係合が解除される。
【００４３】
次に、ムーブメント１４を、第１の綴じ環１６及び第２の綴じ環１８の開閉方向すなわち軸部６０及び６２を回転軸とした回転方向（すなわち幅方向）に回転させると、ムーブメント１４の第２の綴じ片２６及び第２の綴じ片２８がベース部材１２の第１の綴じ片２２及び第１の綴じ片２４から離れ、綴じ孔が穿設された用箋等の被綴じ物を綴じることができる。
このとき、ムーブメント１４の突起部７０及び７２は、ベース部材１２の当接部４４及び４６に当接される。
また、ムーブメント１４をムーブメント１４の幅方向に回転させたときに、軸部６０及び６２が下側すなわち裏表紙１０１４側に張り出すが、表紙１０１０の撓みと綴じ具１０の柔軟性による撓みで吸収されて、第１の綴じ環１６及び第２の綴じ環１８を開くことができる。
【００４４】
前記実施の形態の綴じ具によれば、ムーブメント１４が、その長手方向の両端に形成された軸部６０，６２でベース部材１２に回転可能に支持される。したがって、ベース部材１２とムーブメント１４とを連結するために、ピンなどの別部材が不要であり、ピンを受ける多数の軸受部などの構成も不要である。
第１の綴じ片２２，２４と第２の綴じ片２６，２８とで形成されるリング状部に穿孔された用紙等の被綴じ物が綴じ込まれるが、ムーブメント１４の両端の軸部６０，６２でベース部材１２に支持されているため、用紙に力がかかったとき、ムーブメント１４が変形する可能性がある。そこで、リング状部が形成されたときに、ベース部材１２およびムーブメント１４に形成された凸条部と凹条部とが嵌合されるような構成とすることにより、ムーブメント１４がベース部材１２に強固に支持され、ムーブメント１４の変形が防止される。
【００４５】
このような綴じ具１０において、ムーブメント１４の軸部６０，６２が挿入される挿入溝３０，３２を有し、ムーブメント１４が回転可能となるように軸部６０，６２を支持する２つの軸受部３４，３６がベース部材１２に形成され、第１の綴じ片２２，２４と第２の綴じ片２６，２８とが対向してリング状部が形成されたときの軸部６０，６２および挿入溝３０，３２の断面形状が円形の一部を削除した形状でかつ円形の半分以上を残した形状であり、挿入溝３０，３２の断面形状の円形を削除した部分が第１の綴じ片２２，２４の形成面に対向する位置に配置されている。
ムーブメント１４の軸部６０，６２およびベース部材１２の軸受部３４，３６に形成された挿入溝３０，３２の断面形状を、円形の一部を削除した形状でかつ円形の半分以上を残した形状とすることにより、軸部６０，６２が回転可能な状態で、その厚みを小さくすることができる。そのため、ベース部材１２を表紙などに取り付けたときに、ベース部材１２からリング状部の上端までの高さを抑えることができ、低背化が可能である。したがって、この綴じ具１０を取り付けたファイルの薄型化を図ることができる。
【００４６】
上述のような断面形状を有する軸部６０，６２および挿入溝３０，３２を有する綴じ具１０において、リング状部が解除されてリング状部が形成されていた位置から軸部６０，６２が略９０°回転したときに挿入溝３０，３２の断面形状の円形を削除した部分から軸部６０，６２が抜け出ないようにするために、前記ベース部材１２に当接される係止部７０，７２が、前記ムーブメント１４に形成されている。
リング状部が解除されてリング状部が形成されていた位置から軸部６０，６２が略９０°回転したとき、挿入溝３０，３２の内壁と軸部６０，６２との間に空間が生じ、軸部６０，６２が不安定な状態となって、挿入溝３０，３２の側面の外部に露出した部分から軸部６０，６２が外れる可能性がある。そこで、このような状態のときに、挿入溝３０，３２の断面形状の円形を削除した部分の反対側において、ムーブメント１４に形成された突起部がベース部材１２に当接されるようにすることにより、軸受部３４，３６から軸部６０，６２が脱落することが防止される。
【００４７】
また、ベース部材１２とムーブメント１４とは互いにスライド移動可能に形成され、ベース部材１２およびムーブメント１４の一方に形成される突出部５０と、ベース部材１２およびムーブメント１４の他方において突出部５０に嵌合されるように形成される２つの嵌合凹部８０，８２とが形成され、２つの嵌合凹部８０，８２は、ベース部材１２とムーブメント１４のスライド移動方向において隣接するように配置されるとともに、一方の嵌合凹部８０，８２は、リング状部が形成されたときに突出部５０が嵌合される位置に配置されている。
ベース部材１２とムーブメント１４とは、スライド移動可能に形成することができ、２つの嵌合凹部８０，８２の一方がリング状部形成時に突出部５０によって嵌合される位置に形成されることにより、第１の綴じ片２２，２４と第２の綴じ片２６，２８とが正確にリング状部を形成するように位置決めされる。また、２つの嵌合凹部８０，８２を隣接して形成することにより、ムーブメント１４をスライド移動させてリング状部を形成するときと解除するときに、突出部５０が２つの嵌合凹部８０，８２の間を乗り越える。そのため、リング状部の形成時および解除時に、クリック感覚を得ることができ、良好な使用感を得ることができる。
【００４８】
この発明は、前記実施の形態の綴じ具に限定されることなく、この発明の思想に基づき種々変更することができる。
図１７ないし図２０は、綴じ環の係合部を変更した実施の形態を示す図であり、この綴じ具について、以下説明する。
【００４９】
第１の綴じ環１６及び第２の綴じ環１８は、第１の綴じ片２２と第２の綴じ片２６を閉じたときに係合する先端の係合部９０及び第１の綴じ片２４と第２の綴じ片２８を閉じたときに係合する先端の係合部９０が、綴じ具１０の高さを全体的に低くするために上下重ね合わせ型に形成されている。
第１の綴じ片２２及び第１の綴じ片２４は、基部が太くて先端に至るに従って細くなる綴杆で構成され、先端の係合部９０は、その下面が切り欠かれた断面略Ｌ字型の第１係合部９２，９４が形成されている。
第２の綴じ片２６及び第２の綴じ片２８は、基部が太くて先端に至るに従って細くなる綴杆で構成され、先端の係合部９０は、その上面が切り欠かれた断面略Ｉ字型の第２係合部９６，９８が形成されている。
【００５０】
第１の綴じ片２２の第１係合部９２，９４は、ムーブメント１４をベース部材１２の長さ方向における向こう側に向けてスライド移動させて係合を解除することに対応して、向こう側に向かうに従って薄くなるように構成され、向こう側に広く開放され、第１の綴じ片２４の第２係合部９６，９８は、ムーブメント１４をベース部材１２の長さ方向における向こう側に向けてスライド移動させて係合を解除することに対応して、向こう側に向かうに従って太くなるように構成されている。
そして、第１係合部９２，９４を構成する第１の綴じ片２２，２４の先端は、第２係合部９６，９８を構成する第２の綴じ片２６，２８の先端と係合するが、第１の綴じ片２２，２４の先端縁及び第２の綴じ片２６，２８の先端縁は、前記実施の形態においては第１の綴じ環１６及び第２の綴じ環１８の開閉方向（すなわちベース部材１２の幅方向）と直交するように構成されていたのに対し、この実施の形態の第１の綴じ片２２，２４の先端縁及び第２の綴じ片２６，２８の先端縁は、第１の綴じ環１６及び第２の綴じ環１８の開閉方向（すなわちベース部材１２の幅方向）と交差する方向にのびるように構成されている。
【００５１】
この実施の形態の綴じ具においては、第１の綴じ片２２の第１係合部９２の先端縁は、第２の綴じ片２６の第２係合部９６の上面が切り欠かれて形成された直線状の接合壁２９６ｂと接し合い、且つ第１の綴じ片２４の第１係合部９４の先端縁は、第２の綴じ片２８の第２係合部９８の上面が切り欠かれて形成された直線状の接合壁２９８ｂと接し合う。
そして、第１の綴じ片２２の先端縁及び第１の綴じ片２４の先端縁は、第１の綴じ環１６及び第２の綴じ環１８の開閉方向と交差するように、手前側に向かうに従って長くなる、先鋭型に形成されている。また、第２の綴じ片２６の接合壁２９６ｂ及び第２の綴じ片２８の接合壁２９８ｂは、第１の綴じ環１６及び第２の綴じ環１８の開閉方向と交差するように形成されている。
第２の綴じ片２６の第２係合部９６の先端は、第１の綴じ片２２の第１係合部９２の下面が切り欠かれて形成された直線状の接合壁２９２ｂと接し合い、且つ第２の綴じ片２８の第２係合部９８の先端は、第１の綴じ片２４の第１係合部９４の下面が切り欠かれて形成された直線状の接合壁２９４ｂと接し合う。
そして、第２の綴じ片２６の第２係合部９６の先端縁及び第１の綴じ片２２の接合壁２９２ｂは、第１の綴じ環１６の開閉方向と交差するように形成され、第２の綴じ片２８の第２係合部９８の先端縁及び第１の綴じ片２４の接合壁２９４ｂは、第２の綴じ環１８の開閉方向と交差するように形成されている。
【００５２】
第１の綴じ片２２の第１係合部９２の手前側端には、ムーブメント１４の長さ方向への移動を停止させるための第１固定部を構成する固定壁１００が形成されている。
固定壁１００は、第１の綴じ片２２の第１係合部９２の手前側において、幅方向にのび且つ下面９２ｃから高さ方向に突き出た突条であり、第１の綴じ片２２と第２の綴じ片２６とを閉じたときに、第１の綴じ片２２の第２係合部９６の手前側端と接し合い、ムーブメント１４の手前側への移動を規制するように形成され、且つムーブメント１４の向こう側への移動を阻止しないように開放されている。
また、第１の綴じ片２４の第１係合部９４の手前側端には、ムーブメント１４の長さ方向への移動を停止させるための第１固定部を構成する固定壁１０２が形成されている。
固定壁１０２は、第１の綴じ片２４の第１係合部９４の手前側において、幅方向にのび且つ下面９４ｃから高さ方向に突き出た突条であり、第１の綴じ片２４と第２の綴じ片２８とを閉じたときに、第１の綴じ片２４の第２係合部９８の手前側端と接し合い、ムーブメント１４の手前側への移動を規制するように形成され、且つムーブメント１４の向こう側への移動を阻止しないように開放されている。
【００５３】
そして、第２の綴じ片２６の第２係合部９６の先端縁及び第２の綴じ片２８の第２係合部９８の先端縁は、先鋭型に形成される。
而して、第１の綴じ片２２及び第１の綴じ片２４の先端縁側又は第２の綴じ片２６の第２係合部９６及び第２の綴じ片２８の第２係合部９８の先端縁側から、綴じ孔が穿設された用箋等の被綴じ物を挿入して綴じ込み易い。
【図面の簡単な説明】
【００５４】
【図１】本発明にかかる一実施の形態である綴じ具の一例を示す斜視図解図である。
【図２】ベース部材の斜視図解図である。
【図３】図２図示ベース部材の断面図解図であり、（Ａ）は、図２Ａ−Ａ断面図解図であり、（Ｂ）は、図２Ｂ−Ｂ断面図解図であり、（Ｃ）は、図２Ｃ−Ｃ断面図解図であり、（Ｄ）は、図２Ｄ−Ｄ断面図解図である。
【図４】ムーブメントの斜視図解図である。
【図５】図４図示ムーブメントの断面図解図であり、（Ａ）は、図４Ａ−Ａ断面図解図であり、（Ｂ）は、図４Ｂ−Ｂ断面図解図であり、（Ｃ）は、図４Ｃ−Ｃ断面図解図であり、（Ｄ）は、図４Ｄ−Ｄ断面図解図である。
【図６】閉じた状態におけるベース部材とムーブメントを示す斜視図解図である。
【図７】閉じた状態におけるベース部材とムーブメントを示す裏面側斜視図解図である。
【図８】ムーブメントのスライド開始状態におけるベース部材とムーブメントを示す斜視図解図である。
【図９】ムーブメントのスライド開始状態におけるベース部材とムーブメントを示す裏面側斜視図解図である。
【図１０】綴じ環を開いた状態におけるムーブメントのスライド開始状態におけるベース部材とムーブメントを示す斜視図解図である。
【図１１】綴じ環を開いた状態における裏面側斜視図解図である。
【図１２】作動状態を示す図６Ａ−Ａ断面図解図である。
【図１３】作動状態を示す図６Ｂ−Ｂ断面図解図である。
【図１４】綴じ環の係合部を示す図解図であり、（Ａ）は平面図解図であり、（Ｂ）は（Ａ）のＢ−Ｂ断面図解図であり、（Ｃ）は平面図解図であり、（Ｄ）は開き始めた状態における平面図解図であり、（Ｅ）は開き始めた状態における底面図解図である。
【図１５】綴じ環の作動状態を示す平面図解図である。
【図１６】図１４Ａ−Ａ断面図である。
【図１７】図１図示実施の形態の綴じ具を変形した綴じ具の図解図であり、（Ａ）はベース部材の正面図解図であり、（Ｂ）はムーブメントの背面図解図である。
【図１８】綴じ環の係合部を示す図解図であり、（Ａ）は平面図解図であり、（Ｂ）は（Ａ）のＢ−Ｂ断面図解図であり、（Ｃ）は平面図解図であり、（Ｄ）は開き始めた状態における平面図解図であり、（Ｅ）は開き始めた状態における底面図解図である。
【図１９】第１の綴じ片の係合部を示す図解図であり、（Ａ）は平面図解図であり、（Ｂ）は正面図解図であり、（Ｃ）は左側面図解図であり、（Ｄ）は一部を断面にした側面図解図であり、（Ｅ）は（Ａ）のＥ−Ｅ断面図解図であり、（Ｆ）は（Ｂ）の下方向矢視図であり、（Ｇ）は（Ｂ）のＧ−Ｇ断面図解図であり、（Ｈ）は（Ｂ）のＨ−Ｈ断面図解図であり、（Ｉ）は（Ｂ）のＩ−Ｉ断面図解図であり、（Ｊ）は（Ｂ）のＪ−Ｊ断面図解図である。
【図２０】第２の綴じ片の係合部を示す図解図であり、（Ａ）は平面図解図であり、（Ｂ）は正面図解図であり、（Ｃ）は左側面図解図であり、（Ｄ）は一部を断面にした側面図解図であり、（Ｅ）は（Ａ）のＥ−Ｅ断面図解図であり、（Ｆ）は（Ｂ）の下方向矢視図であり、（Ｇ）は（Ｂ）のＧ−Ｇ断面図解図であり、（Ｈ）は（Ｂ）のＨ−Ｈ断面図解図であり、（Ｉ）は（Ｂ）のＩ−Ｉ断面図解図であり、（Ｊ）は（Ｂ）のＪ−Ｊ断面図解図である。
【図２１】綴じ環の作動状態を示す平面図解図である。
【図２２】図１８Ａ−Ａ断面図である。
【図２３】本発明にかかる一実施の形態である綴じ具を備えたファイル・バインダ類を示す斜視図解図である。
【図２４】従来の綴じ具を示す図であり、（Ａ）は、前記綴じ具の平面図、（Ｂ）は、係合手段が解除された状態を示す要部斜視図、（Ｃ）は、（Ａ）の右側面図である。
【図２５】従来の綴じ具の固定側部材を形成する固定プレートの斜視図である。
【図２６】従来の綴じ具の前記ベースプレートの斜視図である。
【図２７】従来の綴じ具の可動側部材の斜視図である。
【図２８】従来の綴じ具のスライダの斜視図である。
【符号の説明】
【００５５】
１０  綴じ具
１２  ベース部材
１４  ムーブメント
１６  第１の綴じ環
１８  第２の綴じ環
２０  受部
２２，２４  第１の綴じ片
２６，２８  第２の綴じ片
３０  第１の挿入溝
３０ａ  切割部
３０ｂ，３０ｃ  突縁
３２  第２の挿入溝
３２ａ  切割部
３２ｂ，３２ｃ  突縁
３４  第１の軸受部
３６  第２の軸受部
３８ａ  第１のベース本体
３８ｂ  第２のベース本体
４０  第１の凹状部
４０ａ  係止条
４２  第２の凹状部
４２ａ  係止壁
４４  第１の当接部
４６  第２の当接部
５０  突出部
５８ａ，５８ｂ  固定孔
６０  第１の軸部
６２  第２の軸部
６４  第１の凸状部
６６  第２の凸状部
７０  第１の係止部
７２  第２の係止部
８０，８２  嵌合凹部
９０  係合部
９２，９４  第１係合部
９２ａ，９４ａ  規制凹部
９２ｂ，９４ｂ，２９２ｂ，２９４ｂ  接合壁
９２ｃ，９４ｃ  下面
９６ｃ，９８ｃ  上面
９６，９８  第２係合部
９６ａ，９８ａ  規制凸部
９６ｂ，９８ｂ，２９６ｂ，２９８ｂ  接合壁
１００，１０２  固定壁
１０１０  表紙
１０１２  表表紙
１０１４  裏表紙
１０１６  背表紙
１０１８  表側ヒンジ部
１０２０  裏側ヒンジ部
１０２２，１０２４  綴じ具嵌挿孔
【図１】
2010069863.tif 000003
【図２】
2010069863.tif 000004
【図３】
2010069863.tif 000005
【図４】
2010069863.tif 000006
【図５】
2010069863.tif 000007
【図６】
2010069863.tif 000008
【図７】
2010069863.tif 000009
【図８】
2010069863.tif 000010
【図９】
2010069863.tif 000011
【図１０】
2010069863.tif 000012
【図１１】
2010069863.tif 000013
【図１２】
2010069863.tif 000014
【図１３】
2010069863.tif 000015
【図１４】
2010069863.tif 000016
【図１５】
2010069863.tif 000017
【図１６】
2010069863.tif 000018
【図１７】
2010069863.tif 000019
【図１８】
2010069863.tif 000020
【図１９】
2010069863.tif 000021
【図２０】
2010069863.tif 000022
【図２１】
2010069863.tif 000023
【図２２】
2010069863.tif 000024
【図２３】
2010069863.tif 000025
【図２４】
2010069863.tif 000026
【図２５】
2010069863.tif 000027
【図２６】
2010069863.tif 000028
【図２７】
2010069863.tif 000029
【図２８】
2010069863.tif 000030
【手続補正書】
【提出日】平成20年12月8日(2008.12.8)
【手続補正１】
【補正対象書類名】図面
【補正対象項目名】図１４
【補正方法】変更
【補正の内容】
【図１４】
2010069863.tif 000031
【手続補正２】
【補正対象書類名】図面
【補正対象項目名】図１８
【補正方法】変更
【補正の内容】
【図１８】
2010069863.tif 000032